(57)【要約】      （修正有）【課題】電気工事などの際に使用される絶縁性上衣および絶縁性下衣を摩耗から保護する保護衣を提供する。【解決手段】保護衣１００は、腕から胴体を通って腰までに及び、絶縁性を備えた衣服である絶縁性上衣よりも外方に取り付けられ絶縁性上衣を覆う耐摩耗性上衣１０と、脚から腰までに及び、絶縁性を備えた衣服である絶縁性下衣よりも外方に取り付けられ絶縁性下衣を覆う耐摩耗性下衣３０と、を備える。【選択図】図１
0003193310.tif 000002
【実用新案登録請求の範囲】
【請求項１】
腕から胴体を通って腰までに及び、絶縁性を備えた衣服である絶縁性上衣よりも外方に取り付けられ前記絶縁性上衣を覆う耐摩耗性上衣と、
脚から腰までに及び、絶縁性を備えた衣服である絶縁性下衣よりも外方に取り付けられ前記絶縁性下衣を覆う耐摩耗性下衣と、を有する保護衣。
【請求項２】
前記耐摩耗性上衣または前記耐摩耗性下衣は、前記絶縁性上衣の形状の一部を前記耐摩耗性上衣に差し込む差込部または前記絶縁性下衣の形状の一部を前記耐摩耗性下衣に差し込む差込部を有する請求項１に記載の保護衣。
【請求項３】
前記差込部には面ファスナーが設けられることによって前記絶縁性上衣と前記耐摩耗性上衣または前記絶縁性下衣と前記耐摩耗性下衣とが接続される請求項２に記載の保護衣。
【請求項４】
前記耐摩耗性下衣は、前記絶縁性下衣とともに人体からのずれ落ちを防止するサスペンダーを留める留め具を挿通させる留め部を有する請求項１から３のいずれか１項に記載の保護衣。
【請求項５】
前記耐摩耗性上衣は、視認性を高める視認部を備える請求項１から４のいずれか１項に記載の保護衣。
【考案の詳細な説明】
【技術分野】
【０００１】
本考案は災害現場などにおいて使用される保護衣に関する。
【背景技術】
【０００２】
電気事業者が、電柱などにおいて電線の補修などの作業をする際に感電から身を守るために絶縁性の防護服を着用することがある（特許文献１参照）。
【先行技術文献】
【特許文献】
【０００３】
【特許文献１】特開２０００−１２９５１１号公報
【考案の概要】
【考案が解決しようとする課題】
【０００４】
特許文献１のような絶縁性の防護服は、感電の危険性があるような災害現場において着用する防護服としても利用することができる。しかし、上記防護服は、災害現場での使用を目的として作られていないため、活動時にロープ等を使用して作業していたりすると防護服がロープとの摩擦等で擦れてしまい、絶縁性能が低下するおそれがある。また、絶縁保護具は定期的な検査が義務付けられており、救護活動を目的としていない防護服を救護活動にも用いると、上記のようなロープ等を用いた作業で容易に摩耗してしまい、定期検査の際には基準に適合せず、その場合には取替えが必要となってコストがかさんでしまう、といった問題がある。
【０００５】
そこで本考案は、上述した課題を解決するためになされたものであり、電気工事などの際に使用される絶縁性上衣および絶縁性下衣を摩耗から保護する保護衣を提供することを目的とする。
【課題を解決するための手段】
【０００６】
上記目的を達成する本考案にかかる保護衣は、腕から胴体を通って腰までに及び、絶縁性を備えた衣服である絶縁性上衣よりも外方に取り付けられ絶縁性上衣を覆う耐摩耗性上衣と、脚から腰までに及び、絶縁性を備えた衣服である絶縁性下衣よりも外方に取り付けられ絶縁性下衣を覆う耐摩耗性下衣と、を有する。
【考案の効果】
【０００７】
本考案に係る保護衣によれば、絶縁性上衣の外方に絶縁性上衣を覆う耐摩耗性上衣を取り付け、絶縁性下衣の外方に絶縁性下衣を覆う耐摩耗性下衣を取り付けるように構成している。そのため、救護活動の際にも耐摩耗性上衣および耐摩耗性下衣によって絶縁性上衣および絶縁性下衣を保護し、絶縁性上衣や絶縁性下衣を摩耗しにくくすることができる。
【図面の簡単な説明】
【０００８】
【図１】本考案の一実施形態に係る保護衣を人体に着用した状態を示す斜視図である。
【図２】図２（Ａ）は図１の正面図、図２（Ｂ）は人体に耐摩耗性下衣を着用させた状態を示す正面図である。
【図３】絶縁性上衣を示す正面図である。
【図４】同絶縁性上衣において重ね部をめくった状態を示す正面図である。
【図５】保護衣を構成する耐摩耗性上衣を示す正面図である。
【図６】同耐摩耗性上衣において重ね部をめくった状態を示す正面図である。
【図７】同耐摩耗性上衣を示す背面図である。
【図８】図８（Ａ）は図５の８−８線に沿う断面図であって、耐摩耗性上衣の内側に絶縁性上衣を取り付けた状態を示す断面図であり、図８（Ｂ）は図８（Ａ）のＢ部分を示す拡大図である。
【図９】図９（Ａ）は絶縁性下衣を示す正面図、図９（Ｂ）は同絶縁性下衣において重ね部を閉じた状態での股上を示す拡大図、図９（Ｃ）は同絶縁性下衣において重ね部を開いた状態での股上を示す拡大図である。
【図１０】図１０（Ａ）は保護衣を構成する耐摩耗性下衣を示す正面図、図１０（Ｂ）は同耐磨耗性下衣において重ね部を閉じた状態での股上を示す拡大図、図１０（Ｃ）は同絶縁性下衣において重ね部を開いた状態での股上を示す拡大図である。
【図１１】同耐磨耗性下衣を示す背面図である。
【図１２】同耐摩耗下衣と同絶縁性下衣との接続について示す断面図である。
【考案を実施するための形態】
【０００９】
以下、添付した図面を参照しながら、本考案の実施形態を説明する。なお、以下の記載は実用新案登録請求の範囲に記載される技術的範囲や用語の意義を限定するものではない。また、図面の寸法比率は説明の都合上誇張されており、実際の比率とは異なる場合がある。
【００１０】
図１は本考案の一実施形態に係る保護衣を人体に着用した状態を示す斜視図、図２（Ａ）は図１の正面図、図２（Ｂ）は人体に耐摩耗性下衣を着用させた状態を示す正面図である。図３は絶縁性上衣を示す正面図、図４は同絶縁性上衣において重ね部をめくった状態を示す正面図、図５は保護衣を構成する耐摩耗性上衣を示す正面図である。
【００１１】
図６は耐摩耗性上衣において重ね部をめくった状態を示す正面図、図７は同耐摩耗性上衣を示す背面図である。図８（Ａ）は図５の８−８線に沿う断面図であって、耐摩耗性上衣の内側に絶縁性上衣を取り付けた状態を示す断面図であり、図８（Ｂ）は図８（Ａ）のＢ部分の拡大図である。
【００１２】
図９（Ａ）は絶縁性下衣を示す正面図、図９（Ｂ）は同絶縁性下衣において重ね部を閉じた状態での股上を示す拡大図、図９（Ｃ）は同絶縁性下衣において重ね部を開いた状態での股上を示す拡大図である。図１０（Ａ）は保護衣を構成する耐摩耗性下衣を示す正面図、図１０（Ｂ）は同耐磨耗性下衣において重ね部を閉じた状態での股上を示す拡大図、図１０（Ｃ）は同絶縁性下衣において重ね部を開いた状態での股上を示す拡大図である。図１１は同耐磨耗性下衣を示す背面図、図１２は同耐摩耗下衣と同絶縁性下衣との接続について示す断面図である。
【００１３】
本実施形態に係る保護衣１００は、図１および図６から図１０に示すように、耐摩耗性上衣１０と、耐摩耗性下衣３０と、を有する。耐摩耗性上衣１０は、絶縁性上衣４０よりも外方に取り付けて絶縁性上衣４０を覆う。耐摩耗性下衣３０は、絶縁性下衣５０より外方に取り付けられて絶縁性下衣５０を覆う。
【００１４】
まず、絶縁性上衣４０および耐摩耗性上衣１０について説明し、次に絶縁性下衣５０および耐磨耗性下衣３０について説明する。
【００１５】
（絶縁性上衣）
絶縁性上衣４０は、図３、図４に示すように腕部４１、４２と、胴部４３と、ジッパー４４と、腕周調節部４５、４６と、重ね部４７と、重ね固定部４８、４９と、を有する。絶縁性上衣４０は、作業中に人体を感電等から保護するために手首から腕部４１、４２を通って、腰のあたりの胴部４３までを身体から覆うように構成している。絶縁性上衣４０は、着たり脱いだりができるように、通常のジャケットなどと同様に前部分が開いており、当該箇所にジッパー４４が設けられている。
【００１６】
ジッパー４４は、重ね部４７によって覆われる。重ね部４７は正面から見て胴部４３の左側の前身頃が右側の前身頃にまで伸びて形成され、絶縁性上衣４０の前身頃を一部重ねた状態にする部分である。重ね固定部４８、４９は、重ね部４７を胴部４３に固定したり、固定を解除したりするために設けられ、本実施形態では面ファスナーによって構成している。重ね固定部４８、４９を構成する面ファスナーは、図４に示すように重ね部４７にフック４８が３つ設けられ、胴部４３に面ファスナーのループ４９が３つ設けられる。これによって、重ね部４７は、図４に示すように胴部４３から剥がしてめくった状態にしたり、図３に示すように重ね部４７を胴部４３に固定したりすることができる。重ね部４７は、絶縁性上衣４０を脱ぐためにジッパー４３を下ろす際に図４に示すようにめくられる。
【００１７】
腕周調節部４５は腕部４１の手首付近に設けられ、腕周調節部４６は腕部４２の手首付近に設けられる。腕周調節部４５、４６は面ファスナーなどによって構成されるが、これに限定されない。腕周調節部４５、４６は、面ファスナーのフックをループに留める位置を変えることによって腕周を調節する。
【００１８】
（耐摩耗性上衣）
耐摩耗性上衣１０は、図５から図８に示すように、腕部１１、１２と、胴部１３と、腕周調節部１４、１５と、重ね部１６と、重ね固定部１７、１８、１９、２１と、視認部２２、２３、２４、２５と、周長調節部２６と、を有する。耐摩耗性上衣１０は、作業中に絶縁性上衣４０が摩耗することによって絶縁性能が低下することを防止するために、絶縁性上衣４０と同様に手首から腕部１１、１２を通って腰のあたりの胴部１３までを人体および絶縁性上衣４０から覆うように構成している。腕周調節部１４、１５は、絶縁性上衣４０の腕周調節部４５、４６と同様であるため説明を省略する。
【００１９】
重ね部１６は、絶縁性上衣４０の重ね部４７と同様に、耐摩耗性上衣１０の前部分の左側の前身頃が右側の前身頃にまで延長して形成された部分であり、耐摩耗性上衣１０の前身頃を一部重ねた状態にする。重ね部１６は、図７、図９（Ｂ）に示すように、正面から見た際に重ね部１６をめくった部分がポケットのように構成され、その部分に絶縁性上衣４０の重ね部４７の端部を差し込むことができるように構成している。これによって絶縁性上衣４０の重ね部４７と耐摩耗性上衣１０の重ね部１６とがばらばらになることを防止し、両者を容易に一体化したり、分離したりすることができる。
【００２０】
重ね固定部１７、１８、１９、２１は、絶縁性上衣４０と同様に胴部１３と重ね部１６とを固定するだけでなく、絶縁性上衣４０の重ね部４７と耐磨耗性上衣１０の重ね部１６とを一体的に固定するために設けられる。重ね固定部１７は、図６に示すように胴部１３に設けられ、面ファスナーのループによって構成される。
【００２１】
重ね固定部１８は、図６に示すように胴部１３に設けられた重ね固定部１７に固定したり、固定を解除したりできるように重ね部１６のポケットの外側に設けられ、面ファスナーのフックによって構成している。
【００２２】
重ね固定部１９は、図８（Ｂ）に示すように絶縁性上衣４０の重ね部４７を耐摩耗性上衣１０の重ね部１６のポケットに差し込んだ状態に維持するためにポケットの内側に設けられ、面ファスナーのループとして構成される。絶縁性上衣４０の重ね固定部４８はフックで構成され、耐摩耗性上衣１０の重ね固定部１９はループで構成されているため、互いに固定し合うことができる。重ね固定部２１は、胴部１３の中でも右側の前身頃の内側に設けられ、絶縁性上衣４０と耐磨耗性上衣１０とを接続する。重ね固定部２１は、絶縁性上衣４０の重ね固定部４９がループで構成されているため、フックで構成している。このように構成することによって、絶縁性上衣４０は、耐摩耗性上衣１０の内側に重ねた状態で人間に着用させることができる。
【００２３】
視認部２２、２３、２４、２５は、作業現場での事故を防止するにあたって作業員の存在を認識させるために設けられる。視認部２２、２３は、図７に示すように胴部１３の中でも背面において横方向に伸びて設けられたストライプとして構成される。視認部２４，２５は、図８に示すように腕部１１、１２の腋のあたりに設けられる。視認部２２、２３、２４、２５はマイクロプリズムやガラスビーズなどで構成されるが、これに限定されない。
【００２４】
周長調節部２６は、面ファスナーなどによって構成され、腕周調節部１４、１５と同様に、ウェストの周長を調節するために設けられている。周長調節部２６は、面ファスナーのループの面が背面に帯状で設けられ、フックをどの位置に留めるかによってウェストを調整する。
【００２５】
（絶縁性下衣）
絶縁性下衣５０は、図９（Ａ）〜図９（Ｃ）に示すように、脚部５１、５２と、腰部５３と、ジッパー５４と、防止部５５、５６と、周長調節部５７、５８と、引っ掛け部５９、６１と、重ね部６２と、重ね固定部６３、６４と、を有する。絶縁性下衣５０は、左右の脚部５１、５２から腰部５３にまで伸び、腰部５３の前方にはジッパー５４が設けられている。ジッパー５４は、重ね部６２によって覆い、重ね固定部６３、６４の固定によって覆ったり、開いた状態とするように構成している。重ね部６２、重ね固定部６３、６４の構成は、絶縁性上衣４０の重ね部４７、重ね固定部４８、４９と同様であるため説明を省略する。
【００２６】
防止部５５、５６は、作業中に絶縁性下衣５０がめくれ上がって肌が露出することを防止するために設けられ、帯状の部材から構成される。防止部５５は脚部５１に取り付けられ、防止部５６は脚部５２に取り付けられ、着用した際に足の裏にかけられる。防止部５５、５６は裾ベルトなどとも呼ばれる。周長調節部５７、５８は、着用時の足のくるぶし付近に設けられ、腕周調節部４５、４６と同様に着用時の足首付近の周長を調整するために面ファスナーなどによって構成される。
【００２７】
引っ掛け部５９、６１は、絶縁性下衣５０を着用して作業を行っている際に、経時的に絶縁性下衣５０が人体からずれ落ちてしまうことを防止するために設けられる。引っ掛け部５９、６１は、絶縁性下衣５０の前後にそれぞれ設けられ、図２（Ｂ）に示すようにサスペンダー７０、８０をかけることができるように構成されている。引っ掛け部５９、６１は穴（本実施形態では各位置に２個）を設けることによって構成し、引っ掛け部５９、６１とサスペンダー７０、８０をボタンによって留めることにより、サスペンダー７０、８０が絶縁性下衣５０に取り付けられる。
【００２８】
絶縁性上衣４０および絶縁性下衣５０は、例えばＥＶＡ（エチレンビニルアセテート）をフィルム状にした生地を数枚重ね、それらを端部などで溶着したり、縫い付けたりすることによって構成しているが、これに限定されない。
【００２９】
（耐摩耗性下衣）
耐摩耗性下衣３０は、図１０（Ａ）〜図１０（Ｃ）、図１１に示すように脚部３１、３２と、腰部３３と、周長調節部３４、３５と、引っ掛け部３６、３７（留め部に相当）と、重ね部３８ａと、重ね固定部３８ｂ、３８ｃ、３８ｄ、３８ｅと、ジッパー３９ａ、３９ｂと、を有する。耐摩耗性下衣３０は、耐摩耗性上衣１０と同様に作業中に絶縁性下衣５０が摩耗して絶縁性能が低下することを防止するために、脚部３１、３２から腰部３３にまで及んで人体および絶縁性下衣５０を覆うように構成している。
【００３０】
周長調節部３４、３５は、絶縁性下衣５０の周長調節部５７、５８と同様であるため説明を省略する。引っ掛け部３６、３７は、絶縁性下衣５０の引っ掛け部５９、６１と同様の構成であり、着用時にサスペンダー７０、８０を取り付けるための穴が絶縁性下衣５０の引っ掛け部５９、６１の穴と連通するように構成している。そのため、作業者が絶縁性下衣５０と耐摩耗性下衣３０とを着用し、サスペンダー７０、８０を取り付ける際にはボタンによって絶縁性下衣５０だけでなく耐摩耗性下衣３０をも留めることができる。
【００３１】
重ね部３８ａ、重ね固定部３８ｂ、３８ｃ、３８ｄ、３８ｅは図１２に示し、耐摩耗性上衣１０の重ね部１６、重ね固定部１７、１８、１９、２１と同様の構成であるため説明を省略する。ジッパー３９ａ、３９ｂは、耐摩耗性下衣３０の背面側の足元付近に設けられ、耐摩耗性下衣３０を脱ぐ際にジッパー３９ａ、３９ｂを上方に引き上げることによって耐摩耗性下衣３０を脱ぎやすくする。
【００３２】
耐摩耗性上衣１０および耐摩耗性下衣３０は、耐切創性、耐破断性、耐摩擦性、難燃性などを有する生地を使用し、例えば芳香族ポリアミド繊維であるノーメックス（登録商標）、コーネックス（登録商標）、難燃ビニロン、難燃アクリルなどを例示することができるが、これに限定されない。
【００３３】
次に本実施形態における作用効果について説明する。消防の現場などで作業者が着用する防護服は、電気事業者が電気工事を行う際に着用する、感電などから身を守る絶縁性上衣と絶縁性下衣を有する防護服を使用することがある。しかし、消防の現場においてはロープなどを使うなどして防護服が摩耗したりする状況がよくあり、電気工事の際に使用する防護服をそのまま使用していたのでは、摩耗によって絶縁性上衣などが磨り減り、絶縁性能が容易に低下してしまう。また、絶縁保護具は定期的な検査が義務付けられており、摩耗した防護服は容易に交換の対象となってしまう。
【００３４】
これに対して本実施形態にかかる保護衣１００は、絶縁性上衣４０よりも外方に取り付けられ、絶縁性上衣４０を覆う耐摩耗性上衣１０と、絶縁性下衣５０よりも外方に取り付けられ、絶縁性下衣５０を覆う耐摩耗性下衣３０と、を有するように構成している。そのため、消防活動の際においても耐摩耗性上衣１０および耐摩耗性下衣３０によって絶縁性上衣４０および絶縁性下衣５０を保護し、絶縁性上衣４０や絶縁性下衣５０を摩耗しにくくすることができ、絶縁性上衣４０および絶縁性下衣５０の交換時期を遅らせることができる。
【００３５】
また、耐摩耗性上衣１０は、絶縁性上衣４０の重ね部４７を重ね部１６のポケット部分に差し込んで固定し、耐摩耗性下衣３０は絶縁性下衣５０の重ね部６２を重ね部３８ａに差し込んで固定するように構成している。そのため、簡易な構成によって耐摩耗性上衣１０、下衣３０と絶縁性上衣３０、下衣５０とを固定して絶縁性上衣４０、絶縁性下衣５０の摩耗を防止することができる。また、重ね部１６と重ね部３８ａにおける固定は面ファスナーによって行なうことができる。
【００３６】
また、耐摩耗性下衣３０は、作業中に耐摩耗性下衣３０が人体からずれ落ちることを防止するサスペンダー７０、８０を留めるための引っ掛け部３６、３７を有するするように構成している。そのため、作業中に激しい動作をしても耐摩耗性下衣３０を人体からずれ落ちないようにでき、安全性を向上させることができる。
【００３７】
また、耐摩耗性上衣１０は、視認部２１、２２、２３、２４を有するように構成したため、作業中に人と人とが接触して起こるような事故を防止でき、安全性を向上させることができる。
【００３８】
なお、本考案は、上述した実施形態にのみ限定されるものではなく、実用新案登録請求の範囲に応じて種々の改変が可能である。
【００３９】
上記では、手首、足首、ウェストなどの周長を面ファスナーによって調整する実施形態について説明したが、これに限定されず、例えばボタンを留める留め穴を複数設け、ボタンを留める穴を変えることによって周長を調整してもよい。また、絶縁性上衣４０、耐摩耗性上衣１０、絶縁性下衣４０、および絶縁性下衣５０に設けた面ファスナーのフックとループの位置関係は逆転させるように構成してもよい。
【符号の説明】
【００４０】
１０  耐摩耗性上衣、
１６、３８ａ  重ね部（差込部）、
２１、２２、２３、２４  視認部、
３０  耐摩耗性下衣、
３６、３７  引っ掛け部（留め部）、
７０、８０  サスペンダー。
【図１】
0003193310.tif 000003
【図２】
0003193310.tif 000004
【図３】
0003193310.tif 000005
【図４】
0003193310.tif 000006
【図５】
0003193310.tif 000007
【図６】
0003193310.tif 000008
【図７】
0003193310.tif 000009
【図８】
0003193310.tif 000010
【図９】
0003193310.tif 000011
【図１０】
0003193310.tif 000012
【図１１】
0003193310.tif 000013
【図１２】
0003193310.tif 000014